(57)【要約】【課題】  眩しさを解消するとともに、レンズ全体を均一に発光させて意匠面で良好な室内照明灯を提供すること。【解決手段】  車体の内装材４０に設けられた開口部４１に固定されるハウジング１２と、ハウジング１２に組み付けられるレンズ１３と、からなる意匠部１１と、光源１５を備え、意匠部１１に支持されることにより内装材４０の裏面側に配置される機能部１４と、を備え、機能部１４の光源１５が、開口部４１の外側に配置された室内照明灯１０。【選択図】    図２
2006031966.tif 000002
【特許請求の範囲】
【請求項１】
車体の内装材に設けられた開口部に固定されるハウジングと、該ハウジングに組み付けられるレンズと、からなる意匠部と、
光源を備え、前記意匠部に支持されることにより前記内装材の裏面側に配置される機能部と、を備えた室内照明灯であって、
前記機能部の前記光源が、前記開口部の外側に配置されたことを特徴とする室内照明灯。
【請求項２】
前記機能部を前記内装材の裏面側に組み付けるケースを備え、該ケースと前記ハウジングとで前記内装材を挟み込んで固定したことを特徴とする請求項１に記載の室内照明灯。
【請求項３】
前記ケースの内面に反射層が形成されていることを特徴とする請求項１または２に記載の室内照明灯。
【請求項４】
前記レンズが、前記光源の光を屈折させて室内に向けて偏光させるプリズム部を有することを特徴とする請求項１〜３のいずれか一項に記載の室内照明灯。
【請求項５】
前記レンズの上面を覆う被覆処理層が形成されていることを特徴とする請求項４に記載した室内照明灯。
【発明の詳細な説明】
【技術分野】
【０００１】
本発明は、室内照明灯に係り、例えば自動車の車内に取付けることができる室内照明灯に関する。
【背景技術】
【０００２】
従来、室内照明灯の一例として、ルーフボウに設けられた係止孔に、ブラケットの係止部を係止したものが知られている（例えば、特許文献１参照）。
【０００３】
図４に示すように、特許文献１に開示された室内照明灯５０は、ランプボディ５１を成形天井７１に取り付けるに際し、レンズ５２の中央部にバルブ５３を配置したランプハウジング５４のフランジ状部５５を、成形天井７１の下面に当接するまで本体部５６をランプ取付け孔５７に挿入し、係止孔５８にブラケット５９の係止部６０を圧入させ、成形天井７１の係合孔７２に挿入されたクリップ部６１が上方に突出した状態でブラケット５９が取り付けられる。これにより、成形天井７１にランプボディ５１が抜け止めされて、ランプボディ５１が成形天井７１に取り付けられる。
【特許文献１】実開平０６−０６５０９３号公報（第７〜９頁、図１）
【発明の開示】
【発明が解決しようとする課題】
【０００４】
ところが、上記特許文献１では、レンズ５２とランプハウジング５４とから構成される意匠部において、バルブ５３が中央部に配置されているために、バルブ５３の点灯時に、レンズ５２を通してバルブ５３が直接見てしまい、それによって、眩しく感じられる。また、レンズ５２のバルブ５３に近い部分と比べて周辺部が暗くなって意匠上好ましくない。
【０００５】
本発明は、上述した事情に鑑みてなされたものであり、その目的は、眩しさを解消するとともに、レンズ全体を均一に発光させて意匠面で良好な室内照明灯を提供することにある。
【課題を解決するための手段】
【０００６】
１）本発明に係る室内照明灯は、車体の内装材に設けられた開口部に固定されるハウジングと、該ハウジングに組み付けられるレンズと、からなる意匠部と、光源を備え、前記意匠部に支持されることにより前記内装材の裏面側に配置される機能部と、を備えた室内照明灯であって、前記機能部の前記光源が、前記開口部の外側に配置されたことを特徴としている。
【０００７】
上記１）に記載の発明によれば、機能部の光源が開口部の外側に配置される。従って、レンズを通して光源が直接見えないので、眩しさを感じることがない。また、レンズの光源に近い部分と、光源から遠い部分とに、照度の差がなくなって、レンズを均一な光で照射できるので、意匠面で良好にすることができる。
【０００８】
２）本発明に係る室内照明灯は、上記１）に記載した室内照明灯において、前記機能部を前記内装材の裏面側に組み付けるケースを備え、該ケースと前記ハウジングとで前記内装材を挟み込んで固定したことを特徴としている。
【０００９】
上記２）に記載の発明によれば、ケースを介して機能部が内装材の裏面側に組み付けられ、機能部が組み付けられたケースとハウジングとで内装材を挟み込むために、機能部に接続されるワイヤハーネスをケースの外側に配置することにより、光源の発する熱がワイヤハーネスに直接作用しないようにして、ワイヤハーネスの品質を保証することができる。
【００１０】
３）本発明に係る室内照明灯は、上記１）または２）に記載した室内照明灯において、前記ケースの内面に反射層が形成されていることを特徴としている。
【００１１】
上記３）に記載の発明によれば、光源の光はケース内面の反射層によって反射してレンズに向かうために、レンズに対して安定した照射を行うことができる。
【００１２】
４）本発明に係る室内照明灯は、上記１）〜３）のいずれか一項に記載した室内照明灯において、前記レンズが、前記光源の光を屈折させて室内に向けて偏光させるプリズム部を有することを特徴としている。
【００１３】
上記４）に記載の発明によれば、光源の光がプリズム部を通じて屈折されて室内に向かうために、プリズム部により、光源の光を分散させたり、或いは集中させたりして、室内に照射させる光を演出することができる。
【００１４】
５）本発明に係る室内照明灯は、上記４）に記載の室内照明灯において、前記レンズの上面を覆う被覆処理層が形成されていることを特徴としている。
【００１５】
上記５）に記載の発明によれば、内装材の裏面側に存在する塵埃が被膜処理層の上に溜るために、塵埃が光源の光路上になくなって光度むらがなくなる。また、室内から塵埃が見えなくなるために、見栄えを良好にすることができる。ここで、被膜処理層としては、印刷、蒸着、フィルムインモールド、塗装、等が挙げられる。
【発明の効果】
【００１６】
本発明の室内照明灯によれば、眩しく感じられる、周辺部が暗くなって意匠上好ましくない、という問題を解消でき、これにより、眩しくなくなるとともに、レンズの全体を照射することにより均一な照明を生むことができるという効果が得られる。
【００１７】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１８】
以下、本発明に係る複数の実施の形態例を図面に基づいて詳細に説明する。図１は本発明に係る室内照明灯の第１実施形態の分解斜視図、図２は図１に示す室内照明灯の縦断面図、図３は本発明に係る室内照明灯の第２実施形態の縦断面図である。
【００１９】
（第１実施形態）
図１に示すように、本発明の第１実施形態である室内照明灯１０は、ハウジング１２、レンズ１３、からなる意匠部１１と、光源１５を備えた機能部１４と、ケース１６と、から構成されている。
【００２０】
ハウジング１２は、室内照明灯１０を内装材である成形天井４０（図２に示す）に取付けるための壁状部材であり、中央部に光路用開口部１７が形成されており、外周面に、ケース１６の前部に係止される２個の係止突起１８と、ケース１６の側部に係止される２個の係止突起１９とが対向して突出形成されている。
【００２１】
レンズ１３は、透明或いは半透明の樹脂製であって、長手方向に形成された一対の係止部２０がハウジング１２の光路用開口部１７内に嵌め付けられることにより、ハウジング１２に一体的に組み付けられる。
【００２２】
機能部１４は、機能部本体２１を有し、この機能部本体２１内に配置された複数の圧接端子（不図示）にワイヤハーネス４５が電気的に接続されている。機能部本体２１の先端部には、軸形状のケース受部２２が形成されており、ケース受部２２の端部にバルブ装着部２３が形成されている。ケース受部２２は、ケース１６の後端部に形成された機能部取付け部２４に嵌め付けられる。バルブ装着部２３には、光源であるバルブ１５が装着されている。バルブ１５は、豆球（なす球）、ＬＥＤ、等である。機能部１４では、ワイヤハーネス４５が制御回路（不図示）に接続されているため、制御回路から与えられた電流によってバルブ１５が点灯する。
【００２３】
ケース１６は、ハウジング１２側の底部が開放された長尺の箱形状に形成されており、図中の前方側端部にフランジ２５が形成されている。また、図中の後方側端部には、機能部１４のケース受部２２を嵌め付けるために切除されていて対向した鉤形状をなす機能部取付け部２４が形成されている。そして、図中の中央部には、成形天井４０の面方向に突出した一対の係合部２６が形成されている。ケース１６は、機能部取付け部２４に機能部１４のケース受部２２を嵌め付けることにより、バルブ１５を成形天井４０の開口部４１の外側に配置して、機能部１４をハウジング１２上に組み付けることができる。
【００２４】
図２に示すように、ケース１６の内面には、反射層２７が形成されている。反射層２７は、反射率の高い塗装やシール等が良い。機能部１４のバルブ１５が成形天井４０の開口部４１の外側に配置されるために、レンズ１３を通してバルブ１５が直接見えないので、眩しさを感じることがない。
【００２５】
室内照明灯１０は、機能部１４のケース受部２２を機能部取付け部２４に嵌め付けたケース１６が成形天井４０の裏面側に配置され、レンズ１３を光路用開口部１７に組み付けたハウジング１２が成形天井４０の表面側から開口部４１に挿し込まれる。これにより、ハウジング１２における前側の２個の係止突起１８が、ケース１６のフランジ２５に係止され、ハウジング１２における中央部の２個の係止突起１９がケース１６の係合部２６に係止されて、ケース１６とハウジング１２とによって成形天井４０を挟み込んで成形天井４０に組み付けられる。
【００２６】
成形天井４０に組み付けられた室内照明灯１０は、機能部１４の機能部本体２１がケース１６の外側に配置される。そのため、機能部１４に接続されるワイヤハーネス４５をケース１６の外側に配置することにより、バルブ１５の発する熱をワイヤハーネス４５に直接作用させないので、ワイヤハーネス４５の品質を保証することができる。そして、成形天井４０の開口部４１の外側に配置されたバルブ１５が点灯すると、バルズ１５から発せられた光は、ケース１６の反射層２７によって反射してから、レンズ１５を通じて室内を照射する。これにより、レンズ１３のバルブ１５に近い部分と、バルブ１５から遠い部分とに、照度の差がなくなって、バルブ１５からの間接光により、レンズ１３を均一な光で照射できるので、意匠面で良好にすることができる。また、バルブ１３が発した光が反射層２７によって反射してレンズ１３に向かうために、レンズ１３に対して安定した照射を行うことができる。また、車内で化粧等を行う際に、均一な間接光により、鏡上にきれいな画像を映し出すことができる。
【００２７】
第１実施形態の室内照明灯１０によれば、機能部１４のバルブ１５が成形天井４０の開口部４１の外側に配置されるために、レンズ１３を通してバルブ１５が直接見えないので、眩しさを感じることがない。また、レンズ１３のバルブ１５に近い部分と、バルブ１５から遠い部分とに、照度の差がなくなって、レンズ１３を均一な光で照射できるので、意匠面で良好にすることができる。
【００２８】
また、第１実施形態の室内照明灯１０によれば、ケース１６を介して機能部１４が成形天井４０の裏面側に組み付けられ、機能部１４が組み付けられたケース１６とハウジング１２とで成形天井４０を挟み込み、機能部１４に接続されるワイヤハーネス４５をケース１６の外側に配置しているので、バルブ１５の発する熱がワイヤハーネス４５に直接作用しないようにして、ワイヤハーネス４５の品質を保証することができる。
【００２９】
また、第１実施形態の室内照明灯１０によれば、バルブ１５の光はケース１６内面の反射層２７によって反射してレンズ１３に向かうために、レンズ１３に対して安定した照射を行うことができる。
【００３０】
（第２実施形態）
次に、図３を参照して、本発明に係る室内照明灯の第２実施形態について説明する。なお、第１実施形態と同一または同等部分については、同一の符号を付し、説明を省略或いは簡略化する。
【００３１】
図３に示すように、第２実施形態の室内照明灯３０は、プリズム部３２を有するレンズ３１を用いている。
【００３２】
レンズ３１は、透明或いは半透明の樹脂製であって、下部に配置された均一の厚さを有するレンズ本体３３の上部にプリズム部３２が一体成形されており、内部が中空になっている。そして、プリズム部３２を構成する斜面３４の外面に被覆処理層３５が形成されている。被膜処理層３５は、印刷、蒸着、フィルムインモールド、塗装、等であり、斜面３４を覆って形成されている。被膜処理層３５は、プリズム部３２の斜面３４を覆って配置されているために、成形天井４０の裏面側に存在する塵埃等を溜めるために、塵埃等がバルブ１５の光路上になくなって光度むらがなくなる。また、室内から塵埃が見えなくなるために、見栄えを良好にすることができる。レンズ３１は、レンズ本体３３とプリズム部３２とを、中空部のないレンズ体としても良い。
【００３３】
機能部１４のバルブ１５は、成形天井４０の開口部４１の外側に配置されているために、バルブ１５が発した光は、レンズ本体３３に垂直に配置された入光面３６からプリズム部３２の内部に入光され、斜面３４の裏側で屈折してレンズ本体３３に向かう。そのため、レンズ本体３３を通して室内に向かう光を分散させたり、或いは集中させたりして、室内に照射させる光を演出することができる。
【００３４】
第２実施形態の室内照明灯３０によれば、バルブ１５の光がプリズム部３２を通じて屈折されて室内に向かうために、プリズム部３２により、バルブ１５の光を分散させたり、或いは集中させたりして、室内に照射させる光を演出することができる。
【００３５】
また、第２実施形態の室内照明灯３０によれば、成形天井４０の裏面側に存在する塵埃等が被膜処理層３５の上に溜るために、塵埃等がバルブ１５の光路上になくなって光度むらがなくなる。また、室内から塵埃等が見えなくなるために、見栄えを良好にすることができる。
【００３６】
なお、本発明は、前述した実施形態に限定されるものではなく、適宜、変形、改良等が可能である。例えば、機能部にスイッチ部を配置し、スイッチ部に備えたスイッチノブを成形天井から突出させて操作できるようにしても良い。
【００３７】
また、バルブは、図示した単一に限らず、２個一対であっても、それ以上の複数個であっても良い。
【００３８】
また、ハウジング、レンズの形状は、図示した四角形に限らず、円形や楕円形であっても良く、それらは、車室の雰囲気によって選択される。
【００３９】
また、成形天井に代えて吊り天井に取り付ける場合は、ルーフインナーパネルに形成された開口部に、上記と同様にして取り付けることができる。
【図面の簡単な説明】
【００４０】
【図１】本発明に係る室内照明灯の第１実施形態の分解斜視図である。
【図２】図１に示した室内照明灯の縦断面図である。
【図３】本発明に係る室内照明灯の第２実施形態の縦断面図である。
【図４】従来の室内照明灯の断面図である。
【符号の説明】
【００４１】
１０，３０  室内照明灯
１１        意匠部
１２        ハウジング
１３        レンズ
１４        機能部
１５        バルブ（光源）
１６        ケース
２７        反射層
３２        プリズム部
３５        被覆処理層
４０        成形天井（内装材）
４１        開口部
【図１】
2006031966.tif 000003
【図２】
2006031966.tif 000004
【図３】
2006031966.tif 000005
【図４】
2006031966.tif 000006